(57)【要約】【課題】薬剤の放散方向と放散位置を変更できるファン式薬剤放散装置とする。【解決手段】装置本体１の本体部１０における円孤形状の上部板１２ａに移動用開口部３４を形成し、この本体部１０の送風機収納室１０ａ内に設けた送風機３のファン３１の外周に気流放出ガイド３３を回転自在に設け、この気流放出ガイド３３に形成した放出口４を前記移動用開口部３４に沿って移動自在とし、気流放出ガイド３３を回転することで放出口４が移動すると共に、この放出口４から薬剤保持体２の薬剤が気中に放散させるようにしたファン式薬剤放散装置。【選択図】　　　　図４
2004024027.tif 000002
【特許請求の範囲】
【請求項１】
装置本体１と薬剤保持体２と送風機３を備え、送風機３による気流を薬剤保持体２に接触又は通過させることで、薬剤を放出口４から気中に放散するファン式薬剤放散装置であって、
前記放出口４の向き及び／又は位置が変更できることを特徴とするファン式薬剤放散装置。
【請求項２】
装置本体１と薬剤保持体２と送風機３を備え、送風機３による気流を薬剤保持体２に接触又は通過させることで、薬剤を放出口４から気中に放散するファン式薬剤放散装置であって、
前記装置本体１の円孤状面に沿って放出口４を移動自在としたことを特徴とするファン式薬剤放散装置。
【請求項３】
装置本体１と薬剤保持体２と送風機３を備え、送風機３による気流を薬剤保持体２に接触又は通過させることで、薬剤を放出口４から気中に放散するファン式薬剤放散装置であって、
前記装置本体１の直線状面に沿って放出口４を移動自在としたことを特徴とするファン式薬剤放散装置。
【請求項４】
装置本体１と薬剤保持体２と送風機３を備え、送風機３による気流を薬剤保持体２に接触又は通過させることで、薬剤を放出口４から気中に放散するファン式薬剤放散装置であって、
前記装置本体１に複数の放出口４を形成し、この各放出口４にキャップ６０を着脱自在に取付けたことを特徴とするファン式薬剤放散装置。
【請求項５】
装置本体１と薬剤保持体２と送風機３を備え、送風機３による気流を薬剤保持体２に接触又は通過させることで、薬剤を放出口４から気中に放散するファン式薬剤放散装置であって、
前記放出口４を装置本体１に対して揺動自在としたことを特徴とするファン式薬剤放散装置。
【発明の詳細な説明】
【０００１】
【発明の属する技術分野】
本発明は、装置本体と揮散性の薬剤を有する薬剤保持体と送風機を備え、送風機から発生する気流を薬剤保持体に接触又は通過させることで薬剤を気中に放散するファン式薬剤放散装置に関する。
【０００２】
【従来の技術】
装置本体と薬剤保持体と送風機を備え、送風機から発生する気流を薬剤保持体に接触又は通過させることで薬剤を、装置本体の放出口から気中に放散するファン式薬剤放散装置が種々提案されている。
例えば、揮散性の殺虫成分を有する薬剤保持体を備え、その殺虫成分を放出口から気中に放散するファン式殺虫装置が提案されている。
また、揮散性の芳香成分を有する薬剤保持体を備え、その芳香成分を放出口から気中に放出するファン式芳香装置が提案されている。
また、揮散性の害虫防除成分を有する薬剤保持体を備え、その害虫防除成分を放出口から気中に放出するファン式防虫装置が提案されている。
【０００３】
【発明が解決しようとする課題】
前述した各々のファン式薬剤放散装置は、装置本体に１つの放出口を設け、その１つの放出口から薬剤を気中に放散する状態である。
このために、装置本体から放散する薬剤の放散方向は、その放出口によって特定の方向に限定されると共に、薬剤の放散位置が放出口の位置に限定されるから、使用者の好みや、使用状況などに応じて薬剤の放散方向、放散位置を変更できないので、使い勝手が悪いものであった。
【０００４】
例えば、ファン式殺虫装置を使用者の身体に保持して使用する携帯型の場合に、使用者が園芸や野良仕事をする際、例えば蚊など吸血害虫から身を守る場合、立ち姿勢で作業する際には上に向けて殺虫成分を放散することが好ましく、腰をかがめた姿勢で作業する際には下に向けて殺虫成分を放散することが好ましい。このような場合に、殺虫成分の放散方向や放散位置をその時々の作業状態に応じて変更できれば効果的に防虫できる。
【０００５】
また、ファン式芳香装置は玄関やトイレなどに置いて使用するから、その装置本体の意匠を正面形状が見栄え良くし、正面が使用者に向うように置くようにすることが考えられる。
このように置く向きが意匠上から決められているファン式芳香装置の場合に芳香成分の放散方向が一方向であると、置き方によっては壁に向けて放散されてしまうことがある。
例えば、コーナー部に置いた場合に放出口が壁に向かい、壁に向けて芳香成分が放出される。
このような場合に、芳香成分の放散方向や放散位置を変更できれば有利である。
【０００６】
また、ファン式防虫装置は洋服タンスやクローゼットなどの衣類収納空間の防虫に用いられるが、その放出口から放散される害虫防除成分が収納されている衣類に向けて直接放散されると害虫防除成分で衣類を汚染する恐れがあるから、衣類収納空間に取付けた際に放出口の向きや位置を変更できれば、前述のように害虫防除成分で衣類を汚染することを防止できる。
【０００７】
本発明は、前述の課題に鑑みなされたもので、その目的は、放出口の向き及び／又は放出口の位置を変更して薬剤の放散方向及び／又は放散位置を変更できるようにしたファン式薬剤放散装置を提供することである。
【０００８】
【課題を解決するための手段】
第１の発明は、装置本体１と薬剤保持体２と送風機３を備え、送風機３による気流を薬剤保持体２に接触又は通過させることで、薬剤を放出口４から気中に放散するファン式薬剤放散装置であって、
前記放出口４の向き及び／又は位置が変更できることを特徴とするファン式薬剤放散装置である。
【０００９】
第２の発明は、装置本体１と薬剤保持体２と送風機３を備え、送風機３による気流を薬剤保持体２に接触又は通過させることで、薬剤を放出口４から気中に放散するファン式薬剤放散装置であって、
前記装置本体１の円孤状面に沿って放出口４を移動自在としたことを特徴とするファン式薬剤放散装置である。
【００１０】
第３の発明は、装置本体１と薬剤保持体２と送風機３を備え、送風機３による気流を薬剤保持体２に接触又は通過させることで、薬剤を放出口４から気中に放散するファン式薬剤放散装置であって、
前記装置本体１の直線状面に沿って放出口４を移動自在としたことを特徴とするファン式薬剤放散装置である。
【００１１】
第４の発明は、装置本体１と薬剤保持体２と送風機３を備え、送風機３による気流を薬剤保持体２に接触又は通過させることで、薬剤を放出口４から気中に放散するファン式薬剤放散装置であって、
前記装置本体１に複数の放出口４を形成し、この各放出口４にキャップ６０を着脱自在に取付けたことを特徴とするファン式薬剤放散装置である。
【００１２】
第５の発明は、装置本体１と薬剤保持体２と送風機３を備え、送風機３による気流を薬剤保持体２に接触又は通過させることで、薬剤を放出口４から気中に放散するファン式薬剤放散装置であって、
前記放出口４を装置本体１に対して揺動自在としたことを特徴とするファン式薬剤放散装置である。
【００１３】
【作　用】
第１の発明によれば、放出口４の向きと位置、向きのみ、位置のみを変更できるから、薬剤の放散方向と放散位置、薬剤の放散方向のみ、薬剤の放散位置のみを変更できる。
よって、使用者の好みや、使用状況などに応じて薬剤の放散方向及び／又は放散位置を変更できるので、使い勝手が良い。
【００１４】
第２の発明によれば、放出口４を円孤状面に沿って移動することで、放出口４の向き及び位置を変更できる。
よって、薬剤の放散方向及び放散位置を変更できる。
【００１５】
第３の発明によれば、放出口４を直線状面に沿って移動することで、放出口４の向きを変えずに位置のみを変更できる。
よって、薬剤の放散位置のみを変更できる。
【００１６】
第４の発明によれば、いずれか１つのキャップ６０を外すことで、いずれか１つの放出口４から薬剤を放散できる。
よって、装置本体１の円孤状面に沿って複数の放出口４を形成することで、薬剤の放散方向及び放散位置を変更できるし、装置本体１の直線状面に沿って複数の放出口４を形成することで、薬剤の放散位置のみを変更できる。
【００１７】
第５の発明によれば、放出口４を揺動することで、放出口４の位置を変えずに向きを変更できる。
よって、薬剤の放散方向のみを変更できる。
【００１８】
【発明の実施の形態】
本発明の第１の実施の形態を図１〜図４に基づいて説明する。
装置本体１に薬剤保持体２と送風機３が設けてあり、その送風機３で発生する気流を薬剤保持体２に接触又は通過し、薬剤保持体２が有する揮散性の薬剤を放出口４から気中に放散する。
前記放出口４は、その向き及び位置を変更して薬剤の放散方向及び放散位置を変更できるようにしてある。
例えば、図１に示すように放出口４は、所定角度θ、好ましくはほぼ１８０度の範囲において円孤状面に沿って移動自在で、放出口４の向きを左横向き、上向き、右横向きに変更できると共に、放出口４の位置を左、上、右に変更できる。これによって、薬剤の放散方向を左横向きと右横向きとの間のほぼ１８０度の範囲内で任意に変更できると共に、薬剤の放散位置を左と右の間の範囲内で任意に変更できる。
【００１９】
次に、装置本体１、薬剤保持体２、送風機３の具体形状の一例を説明する。
装置本体１は本体部１０とカバー部１１を備え、そのカバー部１１は本体部１０に着脱自在に取付けられ、その本体部１０とカバー部１１との間に薬剤保持体２が取付けてある。
前記本体部１０は上面板１２と一側縦板１３と他側縦板１４と底面板１５と中間横板１６で送風機収納室１０ａと電池収納室１０ｂを有する。
前記上面板１２はほぼ下向きＵ字形状で、ほぼ半円形に湾曲した上部板１２ａと相互に平行となった一対の直線状の下部板１２ｂを有している。
前記一側縦板１３には送風機収納室１０ａに開口した開口部１７が形成され、この開口部１７の周縁にカバー部１１が着脱自在に取付けてあり、そのカバー部１１は薬剤保持体２の取付用開口部１８を有する。
例えば、開口部１７は円形で、カバー部１１は円筒形状である。
前記他側縦板１４には取付部、例えばフック１９が取付けてあり、使用者のベルトにフック１９を係止することで携帯できるようにしてある。
【００２０】
前記薬剤保持体２は揮散性の薬剤を有する。例えば通気性の容器２０内に揮散性の薬剤を担持した担持体２１が充填してある。
通気性の容器２０とは、例えば対向した面に通気性２２を有するものである。前記容器２０は外向きのフランジ２３を有し、このフランジ２３をカバー部１１の取付用開口部１８の開口縁に押しつけて保持して取付けられる。例えば、カバー部１１に係止片２４を設け、この係止片２４で前述のようにして保持して取付ける。
【００２１】
前記送風機３は電動モータ３０でファン３１を回転するもので、その電動モータ３０は電池収納室１０ｂに収納した電池３２を電源として駆動される。
前記電動モータ３０が他側縦板１４に取付けてある。前記ファン３１はシロッコファンとしてある。
【００２２】
次に、放出口４を移動する具体形状の一例を説明する。
前記ファン３１の回転によって生ずる気流を気中に放出ガイドする気流放出ガイド３３が設けてある。
この気流放出ガイド３３に前述の放出口４が形成してあると共に、その気流放出ガイド３３はファン３１の外周に沿って回転自在である。
前記装置本体１の円孤状面には放出口４が移動する移動用開口部３４が形成され、気流放出ガイド３３を回転することで放出口４がこの移動用開口部３４に沿って移動する。
例えば、前記本体部１０の上面板１２における円孤状に湾曲した上部板１２ａに移動用開口部３４が形成してある。
前記気流放出ガイド３３は周面板３５と一側板３６と他側板３７で断面円形の中空形状で、その一側板３６に吸込口３８が形成され、周面板３５の一部に吐出口３９が形成されている。つまり、この実施の形態では気流放出ガイド３３はファンケースである。
前記他側板３７の凹陥部３７ａが電動モータ３０に回転自在に嵌合して取付けてあり、前記吸込口３８が薬剤保持体２と対向している。
前記吐出口３９にグリル４０が取付けてあり、このグリル４０と吐出口３９で前記放出口４を形成している。
前記グリル４０はプレート４０ａに孔４０ｂを形成したもので、そのプレート４０ａが前記移動用開口部３４に沿って移動する。
【００２３】
このようであるから、グリル４０に指を掛けて押し動かすことで、そのグリル４０が移動用開口部３４に沿って移動すると共に、気流放出ガイド３３が回転する。
【００２４】
前記上面板１２の上部板１２ａにおける移動用開口部３４の開口縁両側内面に一対のプレート４１が一体的に設けてあり、この一対のプレート４１に沿って気流放出ガイド３３の一側板３６、他側板３７がそれぞれ接してスムーズに回転するようにしてあると共に、前記移動用開口部３４から装置本体１の内部（本体部１０の送風機収納室１０ａ内部）が見えないようにしてある。
【００２５】
前述の実施の形態では、グリル４０を設けたが、吐出口３９のみで放出口４とし、その吐出口３９を移動用開口部３４に沿って移動するようにしても良い。
また、放出口４をほぼ１８０度の範囲で移動するようにしたが、１８０度よりも小さな角度範囲で移動しても良いし、１８０度よりも大きい角度範囲で移動しても良い。
例えば、上面板１２をほぼ円形状とすれば、ほぼ３６０度の範囲で移動できる。
また、放出口４を複数形成することができる。例えば、ファンケースを形成する気流放出ガイド３３の周面板３５に複数の吐出口３９を形成する。
【００２６】
前述の実施の形態では、揮散性の薬剤が殺虫成分を有するもので、フック１９を備えた携帯用のファン式殺虫装置としてあるが、定置式のファン式殺虫装置として使用できることは勿論である。例えば、底面板１５を床などに置いて使用することができる。
【００２７】
定置式のファン式殺虫装置の好ましい実施の形態を本発明の第２の実施の形態として図５に基づき説明する。
装置本体１の本体部１０の下部に電池収納室１０ｂを形成し、薬剤保持体２が上となるように置いて使用できる形態とする。
この場合には送風機収納室１０ａを形成する周面板４２を筒形状、例えば横断面ほぼ円形の筒形状とし、そのほぼ全周に亘って移動用開口部３４を形成して気流放出ガイド３３とともに放出口４をほぼ３６０度の範囲で移動できるようにする。
また、周面板４２の移動用開口部３４の上縁、下縁内面に沿って上下一対のプレート４３を取付け、気流放出ガイド３３をスムーズに回転できると共に、移動用開口部３４から送風機収納室１０ａ内部が見えないようにしてある。
【００２８】
前述の各実施の形態において、薬剤保持体２の薬剤を芳香成分を有する薬剤とすればファン式芳香装置になる。
また、薬剤保持体２の薬剤を害虫防除成分を有する薬剤とすれば、ファン式防虫装置になる。
【００２９】
ファン式防虫装置の好ましい実施の形態を本発明の第３の実施の形態として図６と図７に基づいて説明する。
装置本体１に吊り下げ用フック４４を設ける。例えば本体部１０の上部板１２ａにおける移動用開口部３４の両側部分に跨って吊り下げ用フック４４を上向きに設けて取付部とする。
この吊り下げ用フック４４を衣類収納用空間内のハンガーパイプ４５に吊り下げて取付けるようにする。
なお、この吊り下げ用フック４４を備えたものであっても、薬剤保持体２の薬剤を芳香成分を有する薬剤とすれば吊り下げて取付けるファン式芳香装置になるし、殺虫成分を有する薬剤とすれば吊り下げて取付けるファン式殺虫装置になる。
【００３０】
すなわち、装置本体１の取付部の形態を変更することで携帯タイプ、定置タイプ、吊り下げタイプなどの取付けの仕方が異なるファン式薬剤放散装置になる。また、薬剤保持体２の薬剤を変えることで、ファン式殺虫装置、ファン式芳香装置、ファン式防虫装置になる。
【００３１】
前記気流放出ガイド３３の第２の実施の形態を説明する。
図８と図９に示すように、可撓性を有する帯状体５０の長手方向中間部に放出口４を形成して気流放出ガイド３３とする。
例えば、帯状体５０の長手方向中間部に孔５１を形成し、この孔５１の周縁に筒体５２を設けて放出口４とする。
装置本体１（本体部１０）の円孤状部（上面板１２の上部板１２ａ）に移動用開口部３４を形成し、前記円孤状部の内面及びこの円孤状部と連続した直線状部（上面板１２の下部板１２ｂ）の内面と間隔を置いてガイド、例えば複数のガイドピン５３を設ける。図９において送風機は図示を省略してある。
【００３２】
帯状体５０はガイドピン５３にガイドされながら、図９に実線で示す状態と図９に仮想線で示す状態とに亘って湾曲変形しながら順次移動する。
これによって、移動用開口部３４は帯状体５０で常時閉塞されると共に、放出口４がほぼ１８０度の範囲に亘って移動する。
【００３３】
前記帯状体５０を弾性を有し、外力で円孤状に湾曲し、かつ外力がなくなると直線状に弾性復元するようにすれば、その弾性復元力で帯状体５０は上部板１２ａの内面、下部板１２ｂの内面に接して移動することが可能であり、この場合にはガイドピン５３は不要である。
【００３４】
前述した気流放出ガイド３３の第２の実施の形態において、帯状体５０が幅方向に振れ動かないように幅方向のガイドを設けることが好ましい。
例えば、前述のガイドピン５３はコ字形状とすることが考えられる。
【００３５】
次に、本発明の第４の実施の形態を説明する。
図１０に示すように、装置本体１の直線状面、例えば本体部１０の上面板１２における直線状の上部板１２ａに移動用開口部３４を形成する。
前述した帯状体５０に放出口４を形成した気流放出ガイド３３を移動用開口部３４に沿って移動自在で、かつ常時移動用開口部３４を閉塞するように取付ける。
このようにすれば、放出口４の向きを同一として直線状軌跡に沿って移動し、薬剤の放散位置のみを変更できる。
【００３６】
次に、本発明の第５の実施の形態を説明する。
前述の各実施の形態では放出口４を円孤状面に沿って移動したり、直線状面に沿って移動したが、円孤状面、直線状面に沿って複数の放出口４を間隔を置いて形成し、その放出口４をキャップで閉塞し、いずれか１つのキャップを外して１つの放出口４から薬剤を放散するようにしても良い。
【００３７】
例えば、図１１に示すように装置本体１の円孤状面、例えば本体部１０の上部板１２ａに複数の放出口１０を送風機収納室１０ａに開口して形成する。
前記各放出口４にキャップ６０を着脱自在にそれぞれ取付ける。
なお、必ず１つの放出口４が開放するので、１つの放出口４にキャップ６０を取付けないようにしても良い。また、前述のファンケースである気流放出ガイド３３の周面板３５に複数の吐出口３９を形成して放出口４とし、その放出口４にキャップ６０を着脱自在に取付けても良い。
前記各キャップ６０を紐などで連結して紛失しないようにしたり、各キャップ６０を連結し、分離して使用するようにしても良い。
【００３８】
次に、本発明の第６の実施の形態を説明する。
この実施の形態は放出口４を揺動自在とすることで、その放出口４の向きを変えるものである。
具体的には、図１２に示すように装置本体１に気流が流出する流出口６１を形成し、この流出口６１と連続して吐出部６２を揺動自在とし、この流出口６１と吐出部６２で揺動自在な放出口４とする。
例えば、本体部１０の上部板１２ａに送風機収納室１０ａに開口した流出口６１を形成し、図１３に示すようにその流出口６１と連通する取付座６３を上部板１２ａの外面に取付ける。
この取付座６３の球面状の凹部６４に放出パイプ６５の球状基部６５ａを上下・左右任意方向に揺動自在に嵌め合せ、取付座６３に外れ止め６６を取付け、その放出パイプ６５と取付座６３で吐出部６２とする。
【００３９】
このようにすれば、放出口４の位置は一定で、向きを上下・左右任意方向に変更することができる。
【００４０】
また、図示は省略するが取付座６３に左右方向に向う円孤状の凹部を形成し、その凹部に放出パイプ６５の円孤状基部を上下揺動自在に嵌め合せて取付けることで、放出口４の位置は一定で、向きを上下方向に変更できるようにすることもできる。
また、図示は省略するが取付座６３に上下方向に向う円孤状の凹部を形成し、その凹部に放出パイプ６５の円孤状基部を左右揺動自在に嵌め合せて取付けることで、放出口４の位置は一定で、向きを左右方向に変更できるようにすることもできる。
【００４１】
また、前述の第１〜第６の実施の形態を適宜組み合せることもできる。
例えば、前述の第１〜第５の実施の形態の放出口４を、第６の実施の形態の放出口４とする。
【００４２】
【発明の効果】
請求項１に係る発明によれば、放出口４の向きと位置、向きのみ、位置のみを変更できるから、薬剤の放散方向と放散位置、薬剤の放散方向のみ、薬剤の放散位置のみを変更できる。
よって、使用者の好みや、使用状況などに応じて薬剤の放散方向及び／又は放散位置を変更できるので、使い勝手が良い。
【００４３】
請求項２に係る発明によれば、放出口４を円孤状面に沿って移動することで、放出口４の向き及び位置を変更できる。
よって、薬剤の放散方向及び放散位置を変更できる。
【００４４】
請求項３に係る発明によれば、放出口４を直線状面に沿って移動することで、放出口４の向きを変えずに位置のみを変更できる。
よって、薬剤の放散位置のみを変更できる。
【００４５】
請求項４に係る発明によれば、いずれか１つのキャップ６０を外すことで、いずれか１つの放出口４から薬剤を放散できる。
よって、装置本体１の円孤状面に沿って複数の放出口４を形成することで、薬剤の放散方向及び放散位置を変更できるし、装置本体１の直線状面に沿って複数の放出口４を形成することで、薬剤の放散位置のみを変更できる。
【００４６】
請求項５に係る発明によれば、放出口４を揺動することで、放出口４の位置を変えずに向きを変更できる。
よって、薬剤の放散方向のみを変更できる。
【図面の簡単な説明】
【図１】本発明の第１の実施の形態を示す全体正面図である。
【図２】本発明の第１の実施の形態を示す全体側面図である。
【図３】図１のＡ−Ａ拡大断面図である。
【図４】図３のＢ−Ｂ断面図である。
【図５】本発明の第２の実施の形態を示す全体断面図である。
【図６】本発明の第３の実施の形態を示す全体正面図である。
【図７】本発明の第３の実施の形態を示す全体側面図である。
【図８】気流放出ガイドの第２の実施の形態を示す斜視図である。
【図９】取付け状態の断面図である。
【図１０】本発明の第４の実施の形態を示す一部を破断した全体正面図である。
【図１１】本発明の第５の実施の形態を示す一部を破断した全体正面図である。
【図１２】本発明の第６の実施の形態を示す一部を破断した全体正面図である。
【図１３】放出口部分の拡大断面図である。
【符号の説明】
１…装置本体、２…薬剤保持体、３…送風機、４…放出口、１０…本体部、１０ａ…送風機収納室、１１…カバー部、３３…気流放出ガイド、３４…移動用開口部、４４…吊り下げ用フック、４５…ハンガーパイプ、５０…帯状体、５３…ガイドピン、６０…キャップ、６１…流出口、６２…吐出部、６５…放出パイプ。
【図１】
2004024027.tif 000003
【図２】
2004024027.tif 000004
【図３】
2004024027.tif 000005
【図４】
2004024027.tif 000006
【図５】
2004024027.tif 000007
【図６】
2004024027.tif 000008
【図７】
2004024027.tif 000009
【図８】
2004024027.tif 000010
【図９】
2004024027.tif 000011
【図１０】
2004024027.tif 000012
【図１１】
2004024027.tif 000013
【図１２】
2004024027.tif 000014
【図１３】
2004024027.tif 000015